(57)【特許請求の範囲】
【請求項１】
断面がほぼコ字状の複数の柱を組み合せてなる、通信機器が取り付けられる支柱と、
給電装置からの電力を前記通信機器に給電するための、前記支柱の一の柱の内部に収納された電源バスと、
を具備したことを特徴とする通信機器の電源供給構造。
【請求項２】
前記給電装置の電源入力端子と電源出力端子を、当該給電装置の前面および背面にそれぞれ別個に配設したことを特徴とする請求項１記載の通信機器の電源供給構造。
【請求項３】
前記支柱が、断面形状が一サイクルの矩形波状をなすように、断面コ字状の第一の柱と第二の柱を組み合せた構造としてあり、かつ、前記電源バスを前記第一の柱の内部に収納し、さらに、前記給電装置を、前記電源出力端子が前記支柱の前面側に位置するように取り付けたことを特徴とする請求項１又は２記載の通信機器の電源供給構造。
【請求項４】
前記給電装置に、前記支柱の背面に取り付けるための取付フランジ部を設け、当該給電装置を、前記支柱の背面側から前記支柱に取り付けたことを特徴とする請求項１〜３のいずれかに記載の通信機器の電源供給構造。
【請求項５】
前記電源バスと通信機器とを接続する給電ケーブルを収納する、ケーブルダクトを設けたことを特徴とする請求項１〜４のいずれかに記載の通信機器の電源供給構造。
【請求項６】
前記ケーブルダクトを、前記通信機器の側面と前記支柱との間に設けたことを特徴とする請求項５記載の通信機器の電源供給構造。
【請求項７】
前記通信機器の側面に、前記電源バスと接続するコネクタを点検・保守するための開口部を設けたことを特徴とする請求項１〜６のいずれかに記載の通信機器の電源供給構造。
【発明の詳細な説明】
【０００１】
【発明の属する技術分野】
本発明は、電子交換機などの通信機器における電源供給構造に関する。
【０００２】
【従来の技術】
従来、省スペース化や給電ケーブルの配線作業性の改善などを目的とした、複数の通信機器に電力を供給する電源供給構造に関する様々な技術が、開発され実用化されてきた。
【０００３】
（従来例）
図６は、従来例における通信機器の電源供給構造を説明するための、概略斜視図を示している。
同図において、電源供給構造１００は、電子交換機などの通信機器の電源供給構造であり、支柱１０１ａ，上板１０１ｂ及び底板１０１ｃからなるキャビネット１０１と、このキャビネット１０１に搭載された、給電装置１０２，電源バス３及び通信機器５と、給電装置１０２，電源バス３及び通信機器５と接続された給電ケーブル１０，１１１，１１，１２と、を備えた構成としてある。
【０００４】
なお、同図において、電源供給構造１００を理解しやすいように、各給電ケーブル１０，１１１，１１，１２は、使用本数を少なくし、かつ、余分な長さを一部省略して図示してある。
【０００５】
上記キャビネット１０１は、底板１０１ｃの前面側両端部に二本の支柱１０１ａがそれぞれ一本づつ突設され、さらに、支柱１０１ａの上端に上板１０１ｂが取り付けられた構造としてある。
【０００６】
この支柱１０１ａは、図示してないが、前面に通信機器５の取付ねじ穴が穿設してあり、複数の通信機器５を支持する構造としてある。
また、この支柱１０１ａは、断面形状を一サイクル分の矩形波状としてあり、このようにすることにより、機械的強度を確保している。
【０００７】
また、キャビネット１０１は、対向する支柱１０１ａの対向面側に棒状のガイド１０１ｅを配設してあり、給電装置１０２および通信機器５をガイド１０１ｅが支える状態で、給電装置１０２および通信機器５を前後方向に移動可能な構成としてあり、このようにすることにより、給電装置１０２および通信機器５の取り付け及び取り外しを容易に行うことができる。
【０００８】
また、キャビネット１０１は、上板１０１ｂの背面側に、受電端子１０１ｄが配設してあり、給電ケーブル１０が、受電端子１０１ｄと外部電源端子（図示せず）とを接続してある。
【０００９】
給電装置１０２は、給電装置１０２の背面に電源入力端子１２１及び電源出力端子１２２が配設してある。
また、給電装置１０２は、給電装置１０２の前面がキャビネット１０１の前面側を向くように、キャビネット１０１の背面側からガイド１０１ｅに支えてもらった状態で、キャビネット１０１の最上段に取り付けてある。
そして、給電ケーブル１１１が、受電端子１０１ｄと電源入力端子１２１とを接続している。
【００１０】
電源バス３は、細長い形状であり、支柱１０１ａの背面側においてガイド１０１ｅの外側に垂直方向に取り付けてある。
そして、給電ケーブル１１が、給電ユニット１０２の背面に配設された電源出力端子１２２と電源バス３とを接続している。
【００１１】
通信機器５は、キャビネット１０１の前面側から、ガイド１０１ｅに支持された状態で、キャビネット１０１に取り付けてある。
この通信機器５は、背面にバックボード５１が取り付けられており、このバックボード５１に、電源入力端子５２が配設してある。
そして、給電ケーブル１２が、電源バス３と各通信機器５の電源入力端子５２とを接続している。
【００１２】
このように、上記構成の電源供給構造１００は、外部から供給された電力が、給電ケーブル１０，受電端子１０１ｄ，給電ケーブル１１１，電源入力端子１２１，電源出力端子１２２，給電ケーブル１１，電源バス３，給電ケーブル１２及び電源入力端子５２をとおって、各通信機器５に給電される。
【００１３】
なお、電源供給構造１００は、通信機器５を点検・保守する際、バックボード５１を取り外して作業するため、通信機器５の後方スペースを各給電ケーブルの配線領域として使用できない構造である。
このため、給電ケーブル１１，１２は、支柱１０１ａの背面側のスペースに収容されていた。
【００１４】
【発明が解決しようとする課題】
しかしながら、上記電源供給構造１００は、支柱１０１ａの背面側に電源バス３を設けてあるため、給電ケーブル１１，１２の配線領域が狭くなり、給電ケーブル１１，１２を配線できなくなったり、配線作業の作業性が悪いといった問題があった。
【００１５】
また、電源供給構造１００は、給電装置１０２の背面に電源入力端子２１と電源出力端子１２２があるため、給電ケーブル１１１，１１が集中しすぎて煩雑に見えたり、支柱１０１ａの背面側の狭いスペースに、電源バス３と各通信機器５とを接続する給電ケーブル１２の余長を収めようと無理に配線処理を行うため、背面側の外観が悪いといった問題があった。
【００１６】
本発明は、上述した従来の技術が有する問題を解決するために提案されたものであり、電源バスをキャビネットの支柱内部に収納し、支柱背面側の給電ケーブルの配線領域を拡大することにより、配線可能な給電ケーブル本数を増やし、かつ、配線作業の作業性を改善するとともに、配線後の外観を改善できる通信機器の電源供給構造の提供を目的とする。
【００１７】
【課題を解決するための手段】
上記目的を達成するため本発明の通信機器の電源供給構造は、断面がほぼコ字状の複数の柱を組み合せてなる、通信機器が取り付けられる支柱と、給電装置からの電力を前記通信機器に給電するための、前記支柱の一の柱の内部に収納された電源バスと、を具備した構成としてある。
このようにすると、電源バスが支柱の内部に収納され、支柱背面側の給電ケーブルの配線領域を拡大することができるので、配線可能な給電ケーブル本数を増やし、かつ、配線作業の作業性を改善することができる。
【００１８】
また、本発明の通信機器の電源供給構造は、前記給電装置の電源入力端子と電源出力端子を、当該給電装置の前面および背面にそれぞれ別個に配設した構成としてある。
このようにすると、電源入力端子と接続される給電ケーブルと、電源出力端子と接続される給電ケーブルが、異なる面に配線されるので、それぞれの給電ケーブルの配線領域をより拡大することができ、配線作業の作業性を改善することができる。
【００１９】
また、本発明の通信機器の電源供給構造は、前記支柱が、断面形状が一サイクルの矩形波状をなすように、断面コ字状の第一の柱と第二の柱を組み合せた構造としてあり、かつ、前記電源バスを前記第一の柱の内部に収納し、さらに、前記給電装置を、前記電源出力端子が前記支柱の前面側に位置するように取り付けた構成としてある。
このようにすると、給電装置の電源出力端子と電源バスとの給電ケーブルを支柱の前面側の領域に配線することができるので、支柱背面側の給電ケーブルが分散され煩雑に見えるといった不具合を防止することができる。
【００２０】
また、本発明の通信機器の電源供給構造は、前記給電装置に、前記支柱の背面に取り付けるための取付フランジ部を設け、当該給電装置を、前記支柱の背面側から前記支柱に取り付けた構成としてある。
このようにすると、給電装置の電源出力端子に接続された給電ケーブルを、給電装置の前面下側を通して電源バスと接続させることができ、給電ケーブルを支柱の前面側の領域に容易に配線することができる。
【００２１】
また、本発明の通信機器の電源供給構造は、前記電源バスと通信機器とを接続する給電ケーブルを収納するケーブルダクトを設けた構成としてある。
このようにすると、給電ケーブルを整理しやすくなり、配線作業を改善することができる。
【００２２】
また、本発明の通信機器の電源供給構造は、前記ケーブルダクトを、前記通信機器の側面と前記支柱との間に設けた構成としてある。
このようにすると、通信機器の側面と支柱との間の領域に、電源バスと通信機器とを接続する給電ケーブルの余長を収納することができるので、支柱の背面側の外観が悪いといった不具合を防止することができる。
【００２３】
また、本発明の通信機器の電源供給構造は、前記通信機器の側面に、前記電源バスと接続するコネクタを保守するための開口部を設けた構成としてある。
このようにすると、電源バスと接続する給電ケーブルを取り外さなくても、給電ケーブルコネクタだけを点検・保守することができ、点検・保守の作業性を改善することができる。
【００２４】
【発明の実施の形態】
次に、本発明にかかる通信機器の電源供給構造の実施形態について、図面を参照して説明する。
図１は、本発明にかかる通信機器の電源供給構造の実施形態を説明するための概略斜視図を示している。
同図において、本実施形態の通信機器の電源供給構造１は、支柱６ａを備えたキャビネット６と、キャビネット６に取り付けられた給電装置２と、支柱６ａに収納された電源バス３と、キャビネット６に取り付けられた通信機器５と、外部電源（図示せず）と給電装置２とを接続する給電ケーブル１０と、給電装置２と電源バス３とを接続する給電ケーブル１１と、電源バス３と通信機器５とを接続する給電ケーブル１２と、で構成してある。
【００２５】
なお、同図において、電源供給構造１を理解しやすいように、各給電ケーブル１０，１１，１２は、使用本数を少なくして図示してある。
【００２６】
キャビネット６は、底板６ｃの前面側両端部に二本の支柱６ａがそれぞれ一本づつ突設され、さらに、支柱６ａの上端に上板６ｂが取り付けられた構造としてある。
【００２７】
支柱６ａは、断面形状が一サイクルの矩形波状をなすように、断面コ字状の第一の柱と第二の柱を組み合せた構造としてあり、このようにすることにより、機械的強度を向上させることができ、給電装置２や複数の通信機器５を支持することができる。
【００２８】
また、支柱６ａは、断面形状が一サイクルの矩形波状をなすように、第一の柱と第二の柱をプレス加工により一体成形してある。
なお、支柱６ａは、上記一体成形構造に限定するものではなく、第一の柱と第二の柱を別個に成形し、溶接などにより接合する構造としてもよい。
【００２９】
また、支柱６ａは、給電装置２からの電力を通信機器５に給電するための電源バス３を、支柱６ａの第一の柱の内部に収納しており、このようにすることにより、支柱６ａ背面側の給電ケーブル１２の配線領域を拡大することができ、配線可能な給電ケーブル本数を増やし、かつ、給電ケーブルの配線作業の作業性を改善することができる。
【００３０】
また、キャビネット６は、対向する支柱６ａの対向面側に、棒状のガイド６ｅを配設してあり、給電装置２および通信機器５をガイド６ｅで支えながら前後方向に移動可能な構成としてある。このようにすることにより、給電装置２および通信機器５の取り付け及び取り外しを容易に行うことができる。
【００３１】
また、キャビネット６の上板６ｂは、背面側に給電ケーブル１０を挿入させる開口部６ｄが設けてあり、給電ケーブル１０は、この開口部６ｄを通って、給電装置２の電源入力端子２１と接続する。
このように、給電ケーブル１０を開口部６ｄに通すことにより、給電ケーブル１０が開口部６ｄにより束ねられる効果を得ることができ、給電ケーブル１０の配線をより整頓された状態とすることができる。
【００３２】
なお、支柱６ａは、上記断面形状に限定するものではなく、必要な機械的強度を有し、かつ、支柱内部に電源バス３を収納できる形状であればよい。
【００３３】
続いて、給電装置等について、図面を参照して説明する。
図２は、本発明における電源供給構造の給電装置を説明するための概略図を示しており、（ａ）は前面側下方から見た斜視図を、（ｂ）は背面側上方から見た斜視図を示している。
【００３４】
同図において、給電装置２は、電源入力端子２１を前面に、電源出力端子２２を背面にそれぞれ配設した構成としてある。
このようにすると、電源入力端子２１と接続される給電ケーブル１０と、電源出力端子２２と接続される給電ケーブル１１が、異なる面に配線されるので、それぞれの給電ケーブルの配線領域をより拡大することができ、配線作業の作業性を改善することができる。
【００３５】
なお、給電装置２は、電源入力端子２１を前面に、電源出力端子２２を背面に配設した構成としてあるが、この構成に限定されるものではなく、たとえば、電源入力端子２１を背面に、電源出力端子２２を前面に配設した構成としてもよい。このようにしても、電源入力端子２１に接続される給電ケーブル１０と、電源出力端子２２に接続される給電ケーブル１１が、異なる領域に配線されるので、それぞれの配線領域をより拡大することができる。
【００３６】
また、給電装置２は、電源入力端子２１に外部からの給電ケーブル１０が直接接続してあり、従来例の電源供給構造１００における給電ケーブル１１１を配線する必要がないので、給電ケーブル費用及び配線費用のコストダウンを図ることができ、かつ、給電装置２の背面側に、給電ケーブル１０以外の給電ケーブルがないので、外観的に煩雑感を与えるといった不具合を防止することができる。
【００３７】
また、給電装置２は、０系用と１系用の二つのフィルターユニット２３と、ＡＬＭ制御ユニット２４と、それらを搭載する筐体２５を備えており、各々のフィルターユニット２３に、電源バス３に給電するための給電ケーブル１１を接続する電源出力端子２２が設けてある。
【００３８】
また、筐体２５のほぼ中央部には、キャビネット６の支柱６ａの背面側に、ねじ固定するための取付フランジ２６が突設してある。このように、前面側に取付フランジ２６を設けないことにより、取付フランジ２６が、給電ケーブル１１の配線領域に入り込まない構造としてあり、給電ケーブル１１の配線作業性を改善することができる。
【００３９】
つまり、給電装置２は、背面側からキャビネット６に固定され、前面側には取付フランジ２６がない構造となり、かつ、給電装置２の前面に電源出力端子２２が配設してある。したがって、配線作業者は、給電装置２の電源出力端子２２に接続された給電ケーブル１１を給電装置２の前面下側を通して、電源バス３と接続することができ、電源出力端子２２と電源バス３との給電ケーブル１１を支柱６ａの前面側の領域に、容易に配線することができる。
【００４０】
ここで、好ましくは、図３に示すように、支柱６ａの第一の柱が前面側となるように、支柱６ａを対向して配設し、かつ、電源バス３を支柱６ａの第一の柱の内部に収納し、さらに、給電装置２を、電源出力端子２２が前面側に位置するように取り付けた構成とするとよい。このようにすると、給電装置２の電源出力端子２２と電源バス３との給電ケーブル１１を支柱６ａの前面側の領域に配線することができるので、支柱背面側の給電ケーブルが分散され煩雑に見えるといった不具合を防止することができる。
【００４１】
また、より好ましくは、図２に示すように、支柱６ａを上記のように配設し、かつ、電源バス３を支柱６ａの第一の柱の内部に収納し、さらに、給電装置２に、給電装置２を支柱６ａの背面に取り付けるための取付フランジ２３を設け、給電装置２を背面側から支柱６ａに取り付けた構成とするとよい。このようにすると、給電装置２の電源出力端子２２と電源バス３がより近づくこととなり、配線作業者は、電源出力端子２２と電源バス３との給電ケーブル１１をより容易に配線することができる。
【００４２】
続いて、ケーブルダクト等について、図面を参照して説明する。
図４は、本発明における電源供給構造のケーブルダクト、および、電源バス３と通信機器を接続する給電ケーブルを説明するための概略斜視図を示している。同図において、ケーブルダクト４は、通信機器５を搭載する際のガイド部４１と、給電ケーブル１２を収納するケーブル収容部４２と、取付部４３とで構成してある。また、ケーブルダクト４は、キャビネット６の支柱６ａに、たとえば、ねじ４４により固定される。
【００４３】
このように、電源バス３と通信機器５とを接続する給電ケーブル１２を収納するケーブルダクト４を設けることにより、給電ケーブル１２を整理しやすくなり、配線作業を改善することができる。
【００４４】
また、ケーブルダクト４は、通信機器５の側面と支柱６ａとの間に設けた構成としてあるので、支柱６ａの背面側の狭い領域の代りに、通信機器５の側面と支柱６ａとの間の領域を利用して、各通信機器５と電源バス３とを接続する給電ケーブル１２の余長を収納することができ、支柱６ａの背面側の外観が悪いといった不具合を防止することができる。
【００４５】
また、給電ケーブルコネクタ１２ａを介して電源バス３と接続された給電ケーブル１２は、支柱６ａと通信機器５の側面との間を通って配線されるため、通信機器５の取り付け及び取り外しにおいて、給電ケーブル１２が通信機器５に引っかかって断線する危険性があるが、ケーブルダクト４を設けることにより、断線の危険性を排除することができる。
【００４６】
また、ケーブルダクト４は、通信機器５を取り付ける際のガイド部４１を設けてあるので、ケーブルダクト４が、通信機器５と接触しても、取り付けることができなくなったり、ケーブルダクト４を破損するといった不具合を防止することができる。
【００４７】
また、図示してないが、ケーブルダクト４は、余長の給電ケーブル１２を、支柱６ａの側面とケーブル収納部４２の間に収納することができ、このようにすることにより、支柱６ａの背面側の外観が悪いといった不具合をより効果的に防止することができる。
【００４８】
続いて、通信機器の側面構造等について、図面を参照して説明する。
図５は、本発明における電源供給構造の通信機器の側面構造、および、電源バスと給電ケーブルコネクタとの接続構造を説明するための概略斜視図を示している。
同図において、通信機器５は、バックボード５１と、取付フランジ５３の突設された側面板５４と、電子回路パッケージ７を本棚状に搭載するための上下に配設されたガイドレール部５５とからなっており、さらに、両側の側面板５４に、電源バス３に接続される給電ケーブルコネクタ１２ａを点検・保守するための開口部５６を設けた構成としてある。
【００４９】
上記開口部を設けることにより、電源バス３と接続する給電ケーブル１２を取り外さなくても、給電ケーブルコネクタ１２ａだけを点検・保守することができ、点検・保守の作業性を改善することができる。
【００５０】
上記構成の通信機器の電源供給構造１は、外部からの給電ケーブル１０が、給電装置２の背面の電源入力端子２１に直接接続される。
これにより、給電ケーブル費用及び配線費用のコストダウンを図ることができ、かつ、給電装置２の背面側に、給電ケーブル１０以外の給電ケーブルがないので、外観的に煩雑感を与えるといった不具合を防止することができる。
【００５１】
また、給電装置２は、背面側に電源入力端子２１が配設され、表面側に電源出力端子２２が配設されているので、支柱背面側の給電ケーブルが分散され煩雑に見えるといった不具合を防止することができ、さらに、給電装置２の電源出力端子２２に接続された給電ケーブル１１を、給電装置２の前面下側を通して電源バス３と接続させることができ、給電ケーブル１１を支柱６ａの前面側の領域に容易に配線することができる。
【００５２】
また、電源バス３は、支柱６ａの内部に収納されているので、支柱６の背面側の配線領域を拡大することができ、給電ケーブル１２の配線本数を増やすことができる。
【００５３】
また、電源供給構造１は、電源バス３と通信機器５とを接続する給電ケーブル１２を収納するケーブルダクト４を、通信機器５の側面と支柱６ａとの間に設けてあるので、給電ケーブル１２を整理しやすくなる。また、電源供給構造１は、通信機器５の側面と支柱６ａとの間の領域に、給電ケーブル１２の余長を収納することができるので、支柱６ａの背面側の外観が悪いといった不具合を防止することができる。
【００５４】
また、電源供給構造１は、通信機器５の側面に、電源バス３と接続する給電ケーブルコネクタ１２ａを保守するための開口部５６を設けてあり、給電ケーブル１２を取り外さなくても、給電ケーブルコネクタ１２ａだけを点検・保守することができ、点検・保守の作業性を改善することができる。
【００５５】
上述したように、本発明によれば、電源バス３が支柱６ａの第一の柱の内部に収納されるので、電源バス３がキャビネット６の支柱６ａ背面側の配線領域に存在しなくなり、配線領域を拡大することができる。
また、給電装置２の電源出力端子２２が前面側にあり、電源出力端子２２と接続された給電ケーブル１１は、給電装置２の前面下側を通って、両側面にある電源バス３に接続されるので、配線作業性を改善することができる。
【００５６】
また、電源バス３と各通信機器５間の給電ケーブル１２の余長部も電源バス３の近傍、より好ましくは、ケーブルダクト４によって配線処理を行うことができるので、背面側からの外観を改善することができる。
【００５７】
【発明の効果】
以上説明したように、本発明の通信機器の電源供給構造によれば、キャビネットの支柱の内部に電源バスを収納することにより、キャビネットの支柱背面側の配線領域を拡大し、配線可能な給電ケーブル本数を増やすことができ、また、配線作業の作業性を改善することができる。
【００５８】
また、電源バスと各通信機器とを接続する給電ケーブルは、キャビネットの支柱と各通信機器のすきまに設けられたケーブルダクトに収納され、給電ケーブルの余長部は、このケーブルダクトで配線処理されるので、配線後の外観を改善できる。
【図面の簡単な説明】
【図１】図１は、本発明にかかる通信機器の電源供給構造の実施形態を説明するための概略斜視図を示している。
【図２】図２は、本発明における電源供給構造の給電装置を説明するための概略図を示しており、（ａ）は前面側下方から見た斜視図を、（ｂ）は背面側上方から見た斜視図を示している。
【図３】図３は、本発明における電源供給構造の電源バス、および、給電装置と電源バスとを接続する給電ケーブルを説明するための概略斜視図を示している。
【図４】図４は、本発明における電源供給構造のケーブルダクト、および、電源バス３と通信機器とを接続する給電ケーブルを説明するための概略斜視図を示している。
【図５】図５は、本発明における電源供給構造の通信機器の側面構造、および、電源バスと給電ケーブルコネクタとの接続構造を説明するための概略斜視図を示している。
【図６】図６は、従来例における通信機器の電源供給構造を説明するための、概略斜視図を示している。
【符号の説明】
１  電源供給構造
２  給電装置
３  電源バス
５  通信機器
４  ケーブルダクト
６  キャビネット
６ａ  支柱
６ｂ  上板
６ｃ  底板
６ｅ  ガイド
６ｄ  開口部
７  電子回路パッケージ
１０，１１，１２，１１１  給電ケーブル
１２ａ  給電ケーブルコネクタ
２１  電源入力端子
２２  電源出力端子
２３  フィルターユニット
２４  ＡＬＭ制御ユニット
２５  筐体
２６  取付フランジ
４１  ガイド部
４２  ケーブル収納部
４３  取付部
４４  ねじ
５１  バックボード
５２  電源入力端子
５３  取付フランジ
５４  側面板
５５  ガイドレール部
５６  開口部
１００  電源供給構造
１０１  キャビネット
１０１ａ  支柱
１０１ｂ  上板
１０１ｃ  底板
１０１ｄ  受電端子
１０１ｅ  ガイド
１０２  給電装置
１２１  電源入力端子
１２２  電源出力端子
【図１】
0003721106.tif 000002
【図２】
0003721106.tif 000003
【図３】
0003721106.tif 000004
【図４】
0003721106.tif 000005
【図５】
0003721106.tif 000006
【図６】
0003721106.tif 000007